(57)【要約】【課題】特に集合住宅等における老朽化した水道施設の更新に好適であって、エルボ部を回動可能に支持しつつ固定できつつも、長手方向寸法を短縮したメータユニットの提供。【解決手段】ベース部２と、水道メータＭの一方の端部に対してメータ接続ナット７を介して接続される一方の端部と、他方の端部とを有するメータ接続管４と、前記メータ接続管４の前記他方の端部に接続されるエルボ部５と、前記メータ接続管４の反対側位置または前記エルボ部５の下方位置にて、前記エルボ部５を前記水道メータＭの軸中心に対して所定方向を向くように回動させた状態で前記ベース部２に対して固定する角度調整部８と、を備える。【選択図】図１
2018053495.tif 000002
【特許請求の範囲】
【請求項１】
水道メータと、該水道メータに対する１次側配管と、該水道メータに対する２次側配管とを、連続する水道流路上に配置するために用いるメータユニットであって、
前記１次側配管と前記２次側配管とを支持するベース部と、
前記水道メータの一方の端部に対してメータ接続ナットを介して接続される一方の端部と、他方の端部とを有するメータ接続管と、
前記メータ接続管の前記他方の端部に接続されるエルボ部と、
前記メータ接続管の反対側位置または前記エルボ部の下方位置にて、前記エルボ部を前記水道メータの軸中心に対して所定方向を向くように回動させた状態で前記ベース部に対して固定する角度調整部と、を備えることを特徴とするメータユニット。
【請求項２】
前記ベース部は、長手方向端部において、前記エルボ部における前記メータ接続管の反対側位置に向かい立ち上げられた形状の立ち上げ部を有し、
前記エルボ部は、前記メータ接続管の反対側位置にて突出し、前記立ち上げ部を貫通するねじ軸を有し、
前記角度調整部は、前記立ち上げ部と、前記ねじ軸と、前記ねじ軸に螺合できるエルボ固定ナットとを備え、
前記ねじ軸は、前記立ち上げ部を貫通した状態で前記エルボ固定ナットにより固定されることを特徴とする、請求項１に記載のメータユニット。
【請求項３】
前記エルボ部のうちで、前記水道メータの軸中心から離れる方向に延びる部分の横断面形状につき、前記水道メータの軸方向に沿う寸法が前記水道メータの軸方向と直交する方向の寸法に比べて短い扁平形状である、請求項１または２に記載のメータユニット。
【請求項４】
前記ベース部の下方に取り付けられる支持脚部を備え、
前記支持脚部は、螺合により前記ベース部の接地面からの距離を調整可能である、請求項１〜３のいずれかに記載のメータユニット。
【請求項５】
前記ベース部は板状体からなり、
前記立ち上げ部は、前記ベース部の長手方向端部において立ち上げられた部分である、請求項２または請求項３、４のうち請求項２を引用するもののいずれかに記載のメータユニット。
【発明の詳細な説明】
【技術分野】
【０００１】
本発明は、水道メータ（上水道用の水量計）と、該水道メータに対する１次側配管と、該水道メータに対する２次側配管とを、連続する水道流路上に配置するために用いるメータユニットに関するものである。
【背景技術】
【０００２】
従来のメータユニット（例えば特許文献１として記載の意匠公報記載のメータユニット）では、メータユニットが備えるエルボ部と、被取付物である水道メータを取り付ける部分との間（つまりエルボ部の水道メータ側の位置）に、エルボ部を回動可能に支持しつつ、ベース部に固定するための筒状部分を有する固定部が設けられている。前記筒状部分には水道メータを押圧する押圧体が出退可能に設けられている。この従来の構造では、固定部における筒状部分の寸法分、メータユニットの長手方向寸法が大きくなってしまっていた。
【０００３】
ところで、集合住宅等における老朽化した水道施設の更新の際、例えば、パイプシャフトの開口が小さいため、更新後のメータユニットをパイプシャフトに配置することが困難な場合がある。
【先行技術文献】
【特許文献】
【０００４】
【特許文献１】意匠登録第１２７５２８８号公報
【発明の概要】
【発明が解決しようとする課題】
【０００５】
そこで本発明は、特に集合住宅等における老朽化した水道施設の更新に好適であって、エルボ部を回動可能に支持しつつ固定できつつも、長手方向寸法を短縮したメータユニットを提供することを課題とする。
【課題を解決するための手段】
【０００６】
本発明は、水道メータと、該水道メータに対する１次側配管と、該水道メータに対する２次側配管とを、連続する水道流路上に配置するために用いるメータユニットであって、前記１次側配管と前記２次側配管とを支持するベース部と、前記水道メータの一方の端部に対してメータ接続ナットを介して接続される一方の端部と、他方の端部とを有するメータ接続管と、前記メータ接続管の前記他方の端部に接続されるエルボ部と、前記メータ接続管の反対側位置または前記エルボ部の下方位置にて、前記エルボ部を前記水道メータの軸中心に対して所定方向を向くように回動させた状態で前記ベース部に対して固定する角度調整部と、を備えるメータユニットである。
【０００７】
前記構成によると、前記メータ接続管の反対側位置または前記エルボ部の下方位置に備えられた角度調整部により、エルボ部を回動可能に支持しつつ、ベース部に固定できる。このため、従来のように筒状部分を有する部材をエルボ部の水道メータ側位置に設ける必要がなくなるので、その分長手方向寸法を短縮できる。
【０００８】
なお本発明において、水道メータはメータユニットにおける被取付物であって、メータユニットに係る発明の構成要素ではない。
【０００９】
また、前記ベース部は、長手方向端部において、前記エルボ部における前記メータ接続管の反対側位置に向かい立ち上げられた形状の立ち上げ部を有し、前記エルボ部は、前記メータ接続管の反対側位置にて突出し、前記立ち上げ部を貫通するねじ軸を有し、前記角度調整部は、前記立ち上げ部と、前記ねじ軸と、前記ねじ軸に螺合できるエルボ固定ナットとを備え、前記ねじ軸は、前記立ち上げ部を貫通した状態で前記エルボ固定ナットにより固定されるものとできる。
【００１０】
前記構成によると、角度調整部は、前記立ち上げ部と、前記ねじ軸と、前記ねじ軸に螺合できるエルボ固定ナットとを備える。このため、エルボ部を固定するための構成を簡素化できる。
【００１１】
また、前記エルボ部のうちで、前記水道メータの軸中心から離れる方向に延びる部分の横断面形状につき、前記水道メータの軸方向に沿う寸法が前記水道メータの軸方向と直交する方向の寸法に比べて短い扁平形状とできる。
【００１２】
前記構成によると、扁平形状とした分、エルボ部における水道メータの軸方向における寸法を短縮できる。
【００１３】
また、前記ベース部の下方に取り付けられる支持脚部を備え、前記支持脚部は、螺合により前記ベース部の接地面からの距離を調整可能とできる。
【００１４】
前記構成によると、螺合構造であるから、ねじるだけでベース部と支持脚部の距離を変更できるので、メータユニットの位置調整が容易である。
【００１５】
また、前記ベース部は板状体からなり、前記立ち上げ部は、前記ベース部の長手方向端部において立ち上げられた部分とできる。
【００１６】
前記構成によると、板状体は加工が容易なので、角度調整部を容易に形成できる。
【発明の効果】
【００１７】
本発明は、従来のように筒状部分を有する部材をエルボ部の水道メータ側位置に設ける必要がないので、その分長手方向寸法を短縮できる。このため、特に集合住宅等における老朽化した水道施設の更新に好適であって、エルボ部を回動可能に支持しつつ固定できつつも、長手方向寸法を短縮したメータユニットを提供できる。
【図面の簡単な説明】
【００１８】
【図１】（Ａ）は本発明の一実施形態に係るメータユニットの縦断面図（水道メータを二点鎖線表示）であり、（Ｂ）は（Ａ）のＡ−Ａ矢視における端面図である。
【発明を実施するための形態】
【００１９】
まず、本発明につき一実施形態を取り上げて説明を行う。下記における方向の表現は、図１（Ａ）に示すようにメータユニット１を配置した場合における方向による。なお、この方向の表現は説明の便宜のために用いるものに過ぎず、他の方向に配置することも許容されている。また、「長手方向」とは、図１（Ａ）上での左右方向のことである。また、「１次側」は水道流路の上流側であって図１（Ａ）上での左側であり、「２次側」は水道流路の下流側であって図１（Ａ）上での右側である。
【００２０】
本実施形態のメータユニット１は、建物側の配管である１次側配管と２次側配管（いずれも図示していない）との間に、水道メータＭを挿入して連続する水道流路上に配置すべく取り付けられるものであって、図１（Ａ）に示すものである。このメータユニット１は、ベース部２、支持脚部３、メータ接続管４、エルボ部５、エルボ固定ナット６、メータ接続ナット７を備える。
【００２１】
ベース部２は、エルボ部５を介して間接的に１次側配管と２次側配管とを支持する。このベース部２は、長手方向端部において、エルボ部５におけるメータ接続管４の反対側位置に向かい、上方へと立ち上げられた形状の立ち上げ部２１を有する。ベース部２は板状体からなっている。板状体は鋳物のように成形型が不要であって加工が容易なので、後述の角度調整部８を容易に形成できる。
【００２２】
ベース部２は、幅方向の両端部が折り曲げられたことにより、長手方向に沿うリブ２２が形成されている。このリブ２２により、長手方向の曲げ強度が保たれている。ベース部２において、長手方向中央よりも２次側の一部が立ち上げられた部分は誤作業識別片２３である。もし、水道メータＭの１次側と２次側とを逆にメータユニット１に取り付けようとした場合には、この誤作業識別片２３が水道メータＭに干渉するために取り付けを完了させられない。このため、誤った水道メータＭの取り付けを防止できる。
【００２３】
立ち上げ部２１の、水道メータＭの軸中心ＭＣが通る部分には、後述するエルボ部５のねじ軸５１が貫通する貫通穴２１１が形成されている。なお、「水道メータＭの軸中心ＭＣ」とは、図１（Ａ）に一点鎖線で示された図示左右方向に延びる直線であって、水道メータＭの入口部（１次側）の中心と出口部（２次側）の中心とを結ぶ仮想線である。
【００２４】
支持脚部３は、ベース部２の下方に取り付けられるものであって、螺合によりベース部２の接地面Ｂからの距離を調整可能である。この支持脚部３は具体的に、着地プレート部３１、支持棒３２、２個の支持脚固定ナット３３，３３を有している。支持棒３２にはねじ山が形成されており、ベース部２に貫通させた状態の支持棒３２に、ベース部２の上下からねじ込んだ支持脚固定ナット３３，３３で挟むことにより、ベース部２から必要な分だけ支持脚部３を突出させることができる。なお、ベース部２において支持棒３２が貫通する穴にメスねじを設けることで、支持脚固定ナット３３の数量を減らすこともできる。着地プレート部３１は、接着剤を用いて建物側の接地面Ｂに固定できる。また、ボルト等を貫通させることにより接地面Ｂに固定することもできる。このように、ベース部２に対して螺合構造で支持脚部３を取り付けることができるから、ねじるだけでベース部２と支持脚部３の距離を変更できるので、メータユニット１の位置調整が容易である。
【００２５】
メータ接続管４は、水道メータＭの一方の端部に対してメータ接続ナット７を介して接続される一方の端部と、他方の端部とを有する１本の管である。本実施形態において、メータ接続管４は水道メータＭに対して１次側に設けられている。前記「一方の端部」は２次側の端部であり、「他方の端部」は１次側の端部である。メータ接続管４の外周には図示のようにＯリングが取り付けられており、エルボ部５との間、及び、メータ接続ナット７との間で水漏れが生じないようにされている。更に、メータ接続管４の２次側端部にはパッキン４１が設けられており、水道メータＭとの間での水漏れが生じないようにされている。
【００２６】
エルボ部５につき、１次側のエルボ部５ａは、メータ接続管４の他方の端部に接続される。一方、２次側のエルボ部５ｂは、水道メータＭに直接接続される。また、１次側のエルボ部５ａは１次側配管に取り付けるための配管接続ナット５ａ１を備えており、２次側のエルボ部５ｂは２次側配管に取り付けるために端部にオスねじ部５ｂ１が形成されている。
【００２７】
本実施形態のエルボ部５は、１次側のエルボ部５ａではメータ接続管４の反対側位置にて、２次側のエルボ部５ｂでは水道メータＭに接続される部分の反対側位置にてそれぞれ突出するねじ軸５１を有する。ねじ軸５１はエルボ部５に一体に備えられている。なお、別体のねじ軸５１を組み合わせて一体化してもよい。１次側のエルボ部５ａについては、メータ接続管４を、水道メータＭの軸中心ＭＣに沿って所定範囲で進退可能に支持している。また、２次側のエルボ部５ｂについては、１次側に逆止弁９を内蔵しており、２次側から１次側への水の逆流が生じないようにされている。なお、この逆止弁９は、２次側のエルボ部５ｂにおける１次側端部に差し込まれているだけとされている。このため、逆止弁９の交換作業が容易である。
【００２８】
ねじ軸５１は、水道メータＭの軸中心ＭＣに一致するように、ベース部２の立ち上げ部２１の貫通穴２１１を貫通する軸であってオスねじを有している。ベース部２の貫通穴２１１を貫通した状態のねじ軸５１に対して、エルボ固定ナット６を締め込むことにより、エルボ部５をベース部２に固定できる。ねじ軸５１がベース部２の貫通穴２１１を貫通した状態で、図１（Ａ）に矢印Ｒで示すように、水道メータＭの軸中心ＭＣ周りにエルボ部５を所定範囲内で回動させることができ、エルボ固定ナット６によりエルボ部５を所定の回動位置で固定できる。このため、建物側の配管である１次側配管と２次側配管にエルボ部５を容易に接続できる。
【００２９】
また、本実施形態では、２次側のエルボ部５ｂにつき、水道メータＭの軸中心ＭＣから径外に離れる方向に延びる部分５ｂ２（図１（Ａ）にて上方に立ちあがっている部分）の横断面形状につき、図１（Ｂ）に示すように、水道メータＭの軸方向（軸中心ＭＣの延びる方向）に沿う寸法、つまり図１（Ｂ）上の左右方向寸法が、前記水道メータＭの軸方向と直交する方向（軸中心ＭＣを基準とした周方向）の寸法、つまり図１（Ｂ）上の上下方向寸法に比べて短い扁平形状とされている。扁平形状とした分、例えば真円形状や正方形形状に比べ、２次側のエルボ部５ｂにおける水道メータＭの軸方向における寸法を短縮できる。
【００３０】
メータ接続ナット７は、水道メータＭに対して螺合するものであって、水道メータＭの１次側、２次側の両方に対応して設けられている。本実施形態において、１次側のメータ接続ナット７はメータ接続管４に取り付けられており、２次側のメータ接続ナット７は２次側のエルボ部５ｂに取り付けられている。
【００３１】
ここで、水道メータＭは使用年数が所定年数経過する毎に取り換える必要がある。水道メータＭを取り換える際には、メータ接続ナット７を緩め、必要によりメータ接続管４を水道メータＭから離す方向に移動させることにより、古い水道メータＭをメータユニット１から取り外すことができ、逆の手順を行うことで、新しい水道メータＭをメータユニット１に取り付けることができる。
【００３２】
本実施形態では、前述したベース部２の立ち上げ部２１、エルボ部５のねじ軸５１、エルボ固定ナット６により角度調整部８が構成されている。１次側の角度調整部８ではメータ接続管４の反対側位置（図１（Ａ）にて左側位置）にて、２次側の角度調整部８では水道メータＭに接続される部分の反対側位置（図１（Ａ）にて右側位置）にてそれぞれ、エルボ部５を水道メータＭの軸中心ＭＣに対して所定方向を向くように回動させた状態でベース部に対して固定することができる。
【００３３】
このように角度調整部８が構成されたことで、従来のように筒状部分を有する部材をエルボ部５の水道メータ側位置に設ける必要がないので、その分長手方向寸法を短縮できる。このため、特に集合住宅等における老朽化した水道施設の更新に好適であって、エルボ部５を回動可能に支持しつつ固定できつつも、長手方向寸法を短縮したメータユニット１を提供できる。そして、２次側のエルボ部５ｂに扁平部分を形成したことにより、長手方向寸法を更に短縮できる。また、エルボ部５のねじ軸５１とエルボ固定ナット６との組み合わせにより、エルボ部５を固定するための構成を簡素化できる。このように、本実施形態のメータユニット１は多くの利点を有する。
【００３４】
以上、本発明につき一実施形態を取り上げて説明した。しかし、本発明は前記実施形態に限定されるものではなく、本発明の要旨を逸脱しない範囲内において種々の変更を加えることができる。
【００３５】
例えば、角度調整部８に関し、前記実施形態では、メータ接続管４の反対側位置に設けられていたが、これに限定されず、例えばエルボ部５の下方位置に設けられていてもよい。下方位置に設けられる場合、例えば、エルボ部５の下方に板状の突出部を設け、この突出部に湾曲した長穴を備えたものとして、突出部をボルト固定できるように構成することで、前記実施形態と同様の機能とできる。更に例えば、ベース部２に、上方へと延び、上端の断面形状を半円弧形状とした支持台を設けておき、この支持台がエルボ部５の下面を支持するよう構成することもできる。
【００３６】
また、エルボ部５は、前記実施形態では１次側、２次側の両方に設けられていたが、１次側、２次側のいずれか一方にのみ設けられており、他方には直管が設けられていてもよい。また、前記実施形態では、２次側のエルボ部５ｂにつき、流路の一部を扁平形状としたが、１次側のエルボ部５ａについても同様の形状とすることができる。
【００３７】
また、メータ接続管４は、前記実施形態では１次側にのみ設けられていたが、２次側にのみ設けられることもできる。
【符号の説明】
【００３８】
１          メータユニット
２          ベース部
２１        立ち上げ部
２１１      貫通穴
３          支持脚部
４          メータ接続管
５          エルボ部
５ａ        １次側のエルボ部
５ｂ        ２次側のエルボ部
５１        ねじ軸
６          エルボ固定ナット
７          メータ接続ナット
８          角度調整部
９          逆止弁
Ｍ          水道メータ
ＭＣ        水道メータの軸中心
【図１】
2018053495.tif 000003